(57)【要約】【課題】場所を問わずに端末装置に対する充電が行え、かつ端末装置の表示視認および操作を容易に行えること。【解決手段】クレードル本体１０１は、端末装置１２０を視認可能な立てた状態で収容する収容部１０２と、バッテリ１１０と、を有し、バッテリ１１０に蓄電された電力を端末装置１２０に供給可能である。バッテリ１１０は、外部電源の供給により繰り返し充電可能な２次電池や乾電池等の１次電池を用いることができる。バッテリ１１０は、クレードル本体１０１に対し着脱自在としてもよい。【選択図】図１
2018011463.tif 000002
【特許請求の範囲】
【請求項１】
クレードル本体は、端末装置の表示を視認可能な立てた状態で収容する収容部と、バッテリと、を有し、
前記バッテリに蓄電された電力を前記端末装置に供給可能なことを特徴とする電池内蔵クレードル。
【請求項２】
前記バッテリは、外部電源の供給により繰り返し充電可能な２次電池であることを特徴とする請求項１に記載の電池内蔵クレードル。
【請求項３】
前記バッテリは、前記クレードル本体に対し着脱自在なことを特徴とする請求項１または２に記載の電池内蔵クレードル。
【請求項４】
前記バッテリを収容するバッテリ収容部を備え、前記バッテリ収容部が前記クレードル本体に対し着脱自在なことを特徴とする請求項１または２に記載の電池内蔵クレードル。
【請求項５】
前記収容部は、立てた状態の前記端末装置に電源供給を行う充電用端子を有することを特徴とする請求項１〜４のいずれか一つに記載の電池内蔵クレードル。
【請求項６】
前記クレードル本体は、電源供給端子を備え、
前記電源供給端子に接続される電源コードを介して前記端末装置に対する電源供給が可能なことを特徴とする請求項１〜５のいずれか一つに記載の電池内蔵クレードル。
【請求項７】
複数個の乾電池を整列して収容する仕切りを有する第２のバッテリ収容部が前記クレードル本体に対し着脱自在なことを特徴とする請求項１〜６のいずれか一つに記載の電池内蔵クレードル。
【発明の詳細な説明】
【技術分野】
【０００１】
本発明は、端末装置の充電を行う電池内蔵クレードルに関する。
【背景技術】
【０００２】
携帯電話機等の端末装置は、充電アダプタを接続して充電する。また、卓上ホルダやクレードルに充電アダプタを接続することで、卓上ホルダやクレードルを用いて充電することもできる（例えば、下記特許文献１参照。）。
【０００３】
卓上ホルダやクレードルを用いることで、端末装置を立てた状態で保持でき、充電しながら端末装置でＴＶ視聴やＷｅｂの閲覧、各種操作を行うことができる。
【先行技術文献】
【特許文献】
【０００４】
【特許文献１】特開２００５−２４５０４８号公報
【発明の概要】
【発明が解決しようとする課題】
【０００５】
しかし、端末装置の充電は、いずれも家庭用電源（コンセント）に接続した状態で行う必要があった。このため、外出先や屋外などコンセントのない環境で、端末装置の電池残量が減った場合に対応できなかった。
【０００６】
例えば、外出先や屋外などで充電しながら端末装置を手で持たずに携帯端末を立てて画面を見ながら別の用事を行う等の要求に対応できなかった。ＴＶ視聴や映画の鑑賞では長時間の視聴となるが、屋外等で電源を確保できない環境では、ユーザが端末装置の電池残量の減少を気にかけながらの視聴となり、画面視聴に集中できない等、ユーザの満足度低下を招いた。
【０００７】
一つの側面では、本発明は、場所を問わずに端末装置に対する充電が行え、かつ端末装置の表示視認および操作を容易に行えることを目的とする。
【課題を解決するための手段】
【０００８】
一つの案では、電池内蔵クレードルは、クレードル本体が、端末装置を収容する収容部と、バッテリと、を有し、前記バッテリに蓄電された電力を前記端末装置に供給可能なことを要件とする。
【発明の効果】
【０００９】
一つの実施形態によれば、場所を問わずに端末装置に対する充電が行え、かつ端末装置の表示視認および操作を容易に行えるという効果を奏する。
【図面の簡単な説明】
【００１０】
【図１】図１は、実施の形態にかかる電池内蔵クレードルの構成例を示す図である。
【図２】図２は、実施の形態にかかる電池内蔵クレードルのバッテリの着脱状態を示す斜視図である。
【図３】図３は、実施の形態にかかる電池内蔵クレードルによる端末装置への他の電源供給例を示す図である。
【図４】図４は、実施の形態にかかる電池内蔵クレードルの他のバッテリの構成例を示す斜視図である。
【発明を実施するための形態】
【００１１】
（実施の形態）
以下、本発明の電池内蔵クレードルの実施の形態について説明する。図１は、実施の形態にかかる電池内蔵クレードルの構成例を示す図である。図１の（ａ）は、電池内蔵クレードル１００の上面図、（ｂ）は正面図、（ｃ）は側面図である。
【００１２】
電池内蔵クレードル１００は、例えば、樹脂等の材質により形成され、クレードル本体１０１内部にスマートフォン、携帯電話機等の端末装置１２０（図中一点鎖線）を収容する。このため、クレードル本体１０１には、所定深さの収容部１０２が開口形成されている。
【００１３】
収容部１０２は、前面１０２ａ、背面１０２ｂ、底面１０２ｃを有する。前面１０２ａと背面１０２ｂとの間隔は、端末装置１２０の厚さに対応した間隔を有して設けられている。背面１０２ｂは、所定角度で傾斜しており、収容部１０２に端末装置１２０を立てた状態で所定角度傾斜して保持する。
【００１４】
収容部１０２は、端末装置１２０を収容した状態で倒れずに保持可能な深さを有している。例えば、収容部１０２の深さは、端末装置１２０の高さの１／３〜１／２程度を有することで、収容部１０２に収容した端末装置１２０を倒れることなく保持することができる。
【００１５】
クレードル本体１０１の上端１０１ａは、図１の（ｂ）に示すように、背部１０１ａｂの高さに対し、前部１０１ａａの高さが低くなるよう連続的に形成されている。図１の（ｃ）に示すように、上端１０１ａは前部１０１ａａ側が低くなるよう傾斜して形成されている。これにより、収容部１０２に収容された端末装置１２０の前面１２０ａをできるだけ表出させることができ、ユーザ操作が容易に行えるようになっている。
【００１６】
収容部１０２の底面１０２ｃ付近には、充電用端子１０３が設けられ、収容部１０２に収容された状態の端末装置１２０に設けられた充電用電極に電気的に接触する。底面１０２ｃには複数のリブ（突起）１０２ｃａが設けられており、端末装置１２０の底部に部分的に接触する。また、底面１０２ｃには、端末装置１２０の底部の前面に係合する係合部１０２ｃｂが設けられており、端末装置１２０の傾斜状態を保持する。
【００１７】
クレードル本体１０１の側面は、４隅部分が角張らずに曲率を有して形成されており、ユーザが容易かつ安定して把持できるようになっている。また、クレードル本体１０１の底部１０１ｂには、複数の脚部１０４が設けられ、クレードル本体１０１を保持する。脚部１０４としてゴム等の弾性部材を用いることができる。また、粘着性を有する材質を用いることで、脚部１０４によりテーブル上でクレードル本体１０１を安定して保持することができる。
【００１８】
クレードル本体１０１は、テーブル上に載置するに限らず、車両に搭載することもできる。そして、車両毎に対応するために、車両に接する設置面は、クレードル本体１０１の底部１０１ｂに限らず、背面であってもよい。この場合、脚部１０４を背面に設け、脚部１０４が粘着性を有して車両に接着する構成としてもよい。
【００１９】
クレードル本体１０１を車両に搭載することにより、クレードル本体１０１の収容部１０２に端末装置１２０を収容した状態で、端末装置１２０の各種機能、例えば、ナビゲーション機能や、ＴＶ、ラジオ、インターネット等を容易に操作することができる。
【００２０】
このクレードル本体１０１には、底部に充電可能なバッテリ１１０が設けられている（詳細は後述する）。バッテリ１１０は、充電用端子１０３に電気的に接続されている。そして、クレードル本体１０１には、一端がコンセントに接続された充電アダプタの電源コード１０５の他端が着脱自在に設けられる。
【００２１】
充電アダプタは、商用電源のコンセントに限らず、車両のシガーソケットや、小型発電機、電気自動車のコンセント等から電源供給を受けてもよく、所定の電源規格（バッテリ１１０の特性）に合わせて電圧および電流を変換する変換部を有する。
【００２２】
そして、電源コード１０５の電源ラインは、クレードル本体１０１内部に設けられた充電回路（不図示）に電気的に接続されている。充電回路は、充電用端子１０３およびバッテリ１１０に対する電源供給を行う。そして、充電用端子１０３を介して接続された端末装置１２０に内蔵されたバッテリ、およびバッテリ１１０に対する充電を行う。
【００２３】
充電回路が行う充電動作は、端末装置１２０に内蔵されたバッテリ、あるいはバッテリ１１０の残量が所定量以下であるときに充電を開始し、満充電等になれば充電を終了する。
【００２４】
これら端末装置１２０に内蔵されたバッテリ、およびバッテリ１１０は、例えば、リチウムイオン電池等の繰り返し充放電可能な２次電池である。
【００２５】
以上の構成により、電池内蔵クレードル１００の収容部１０２に端末装置１２０を収容すると、収容部１０２に設けられた充電用端子１０３が端末装置の充電用電極に接触し、互いに導通する。
【００２６】
そして、充電回路はバッテリに蓄電された電力を充電用端子１０３を介して端末装置１２０に供給し、端末装置１２０に対する充電を行うことができる。同時に、充電中の端末装置１２０に対する各種操作を行うことができる。例えば、端末装置１２０を充電しながら、端末装置１２０によりＴＶ視聴や映画の鑑賞を行うことができる。
【００２７】
充電回路は、外部から供給される電源を充電用端子１０３およびバッテリ１１０に供給するため、充電用端子１０３を介して収容部１０２に収容された端末装置１２０に対する電源供給（充電）を行うことができる。また、充電回路は、外部から供給される電源をバッテリ１１０に供給するため、バッテリ１１０に対する電源供給（充電）を行うことができる。
【００２８】
さらには、後述するが、コンセントがない屋外等で外部から電源が供給されない状態においても、内蔵するバッテリ１１０を用いて収容部１０２に収容された端末装置１２０に電源供給（充電）を行うことができる。
【００２９】
図１の構成では、クレードル本体１０１の前面が側面に連続してつながるよう形成されているが、これに限らない。収容部１０２の前面１０２ａ部分は、端末装置１２０の端部にかかる程度とし、中央部分を取り除いてもよい。この状態で収容部１０２は、端末装置１２０の前面の底部と、側面とを支持する。
【００３０】
収容部１０２の前面１０２ａの一部を取り除くことに対応して、クレードル本体１０１は、前面１０２ａの一部が開口できる（図１（ｂ）の一点鎖線参照）。この開口部１０２ａｂを介して、収容状態の端末装置１２０のうち収容部１０２により遮られていた部分（表示部等）を前面１０１ａ側から容易に視認できるようになる。この場合、スマートフォンなどの表示領域が大きい端末装置について、表示内容の視認と操作をいずれも容易に行えるようになる。
【００３１】
図２は、実施の形態にかかる電池内蔵クレードルのバッテリの着脱状態を示す斜視図である。図２の（ａ）に示すように、クレードル本体１０１の底部１０１ｂには、底板（バッテリ収容部）２０１が設けられ、バッテリ収容部２０１は、クレードル本体１０１に対して下方に着脱自在である。
【００３２】
バッテリ収容部２０１には、所定高さの側板２０１ａが設けられ、内部にバッテリ１１０を収容し、側板２０１ａがクレードル本体１０１の底部１０１ｂの内周に嵌まり込み保持される。
【００３３】
さらに、不図示であるが、バッテリ収容部２０１とクレードル本体１０１に互いに係合する凹凸を設けてもよい。さらには、ユーザによって凹凸の係合状態を操作可能なヒンジを設けてもよい。これら凹凸やヒンジを設けることにより、クレードル本体１０１に装着し、バッテリ１１０を収容した状態のバッテリ収容部２０１の脱落を防止できるようになる。
【００３４】
バッテリ１１０の外径をバッテリ収容部２０１の外形（側板２０１ａの内径）に対応させることで、バッテリ収容部２０１内部でバッテリ１１０が振動することなく保持することができる。
【００３５】
このほか、バッテリ収容部２０１の外形（側板２０１ａの内径）をバッテリ１１０の外径に対応させて形成してもよい。また、バッテリ収容部２０１とバッテリ１１０との間には振動防止のために緩衝材を設けてもよい。
【００３６】
バッテリ収容部２０１をクレードル本体１０１に装着した状態で、バッテリ１１０の電源端子（不図示）がクレードル本体１０１側の端子に電気的に接続され、バッテリ１１０が充電回路に電気的に接続されるようになっている。
【００３７】
また、図２の（ｂ）に示すように、クレードル本体１０１には、複数個（図示の例では２個）のバッテリ１１０を収容することもできる。この場合、複数個のバッテリ１１０の電源端子に対応して、クレードル本体１０１側に複数の端子を設け、複数個のバッテリ１１０をそれぞれ充電回路に電気的に接続すればよい。
【００３８】
図２を用いた説明では、クレードル本体１０１に着脱自在なバッテリ収容部２０１を設け、バッテリ１１０を収容する構成例を説明した。これに限らず、クレードル本体１０１に対するバッテリ１１０の収容は、クレードル本体１０１の底部側面（例えば前面）に開口部を設け、開口部に対し、バッテリ１１０を収容した保持板を差し込む構成としてもよい。さらには、クレードル本体１０１の底部側面の開口部に対し、側部からバッテリ１１０を直接差し込む構成としてもよい。
【００３９】
以上説明した電池内蔵クレードル１００は、収容部１０２に端末装置１２０を収容した状態で、端末装置１２０に対する充電を行うことができる。電池内蔵クレードル１００の電源コード１０５をコンセントに差し込むことにより、端末装置１２０に対する電源供給を行うことができる。この際、端末装置１２０のバッテリ残量が少なければ、電池内蔵クレードル１００からの電源供給によって端末装置１２０のバッテリの充電を行うことができる。
【００４０】
また、電池内蔵クレードル１００の電源コード１０５をコンセントに差し込むことにより、内部のバッテリ１１０に対する充電も行うことができる。この際、電池内蔵クレードル１００に内蔵される回路（充電回路）は、端末装置１２０とバッテリ１１０に対する充電（電源供給）を同時に行うことができる。これに限らず、いずれか一方（例えば、端末装置１２０）の充電を優先させる回路としてもよい。
【００４１】
例えば、充電回路は、端末装置１２０が収容された状態では、端末装置１２０に対する電源供給を優先させ、端末装置１２０の充電完了後にバッテリ１１０に対する充電を開始することができる。
【００４２】
これにより、バッテリ残量が少ない端末装置１２０に対する充電と端末装置１２０の操作をいずれも直ぐに行えるようになる。また、端末装置１２０による、例えば、ＴＶ視聴や映画の鑑賞を直ぐに開始できるようになる。
【００４３】
そして、実施の形態の電池内蔵クレードル１００は、内部にバッテリ１１０を備えているため、屋外等のコンセントがなく電源確保できない場所においても、端末装置１２０に対する電源供給を行えるようになる。この場合、電池内蔵クレードル１００の収容部１０２に端末装置１２０を収容した状態で、充電回路は、バッテリ１１０に蓄電した電力を端末装置１２０に供給する。
【００４４】
これにより、屋外等のコンセントがなく電源確保できない場所においても、端末装置１２０を電池内蔵クレードル１００に収容することで、端末装置１２０に対してバッテリ１１０から電源を供給することができるようになる。
【００４５】
これにより、屋外等においても、端末装置１２０を電池内蔵クレードル１００に収容するだけで、バッテリ残量が少ない端末装置１２０に対する充電と端末装置１２０の操作をいずれも直ぐに行えるようになる。また、端末装置１２０によるＴＶ視聴や映画の鑑賞を直ぐに開始できるようになる。
【００４６】
図３は、実施の形態にかかる電池内蔵クレードルによる端末装置への他の電源供給例を示す図である。上述した実施の形態では、端末装置１２０に対する電源供給（充電）は、電池内蔵クレードル１００の収容部１０２に端末装置１２０を収容した状態で行う構成である。
【００４７】
これに限らず、図３に示すように、電池内蔵クレードル１００に電源供給端子３０１を設け、電源供給端子３０１に電源コード３０２を接続して端末装置１２０に対する電源供給を行うこともできる。電源コード３０２は、例えば、汎用のＵＳＢ（Ｕｎｉｖｅｒｓａｌ  Ｓｅｒｉａｌ  Ｂｕｓ）規格に基づくものを用いることができ、端末装置１２０に所定電圧の電源を供給する。
【００４８】
図３の（ａ）に示すように、電池内蔵クレードル１００の電源コード１０５をコンセントに差し込むことにより、充電回路は、電池内蔵クレードル１００の外部から電源供給を受けて内部のバッテリ１１０に対する充電を行う。
【００４９】
さらに、この状態で電池内蔵クレードル１００に設けた電源供給端子３０１に電源コード（ＵＳＢケーブル）３０２を接続し、電源コード３０２に端末装置１２０を接続することもできる。これにより、電源コード３０２を介して端末装置１２０の電源端子（例えばＵＳＢ端子）１２０ａに対する電源供給（充電）を行うことができる。
【００５０】
この際の端末装置１２０に対する電源供給（充電）は、電池内蔵クレードル１００の収容部１０２に端末装置１２０を収容することなく行える。すなわち、電源コード３０２を介して、端末装置１２０が自由な状態において行うことができる。これにより、端末装置１２０を電池内蔵クレードル１００に収容するに限らず、電池内蔵クレードル１００の外部位置で、端末装置１２０に対する充電等を行えるようになる。
【００５１】
また、図３の（ｂ）は、コンセントがない屋外等の使用状態であり、電池内蔵クレードル１００に対して外部から電源供給がない状態を示す。このような屋外での使用時においても、電池内蔵クレードル１００は、バッテリ１１０を内蔵した構成であるため、バッテリ１１０から電源コード３０２を介して端末装置１２０に対する電源供給（充電）を行うことができる。
【００５２】
そして、図３の（ａ）に示すように外部電源が供給可能な状態、および図３（ｂ）に示すように外部電源が供給されない状態のいずれにおいても、電源コード３０２を介して端末装置１２０に対する電源供給（充電）を行うことができる。この際、所定の長さを有する電源コード３０２の長さの範囲内で電池内蔵クレードル１００から離れた位置に端末装置１２０を移動可能である。
【００５３】
これにより、端末装置１２０を電池内蔵クレードル１００に収容するに限らず、電池内蔵クレードル１００から離した自由な状態で端末装置１２０に対する電源供給（充電）行うことができるようになる。
【００５４】
そして、電池内蔵クレードル１００はバッテリ１１０を内蔵しており、電池内蔵クレードル１００を持ち運ぶことで、常に端末装置１２０に対する電源供給（充電）が可能である。
【００５５】
さらには、図２に示したように、電池内蔵クレードル１００に対し着脱自在なバッテリ１１０から直接、端末装置１２０に対する電源供給（充電）を行うことも可能である。図２には不図示であるが、バッテリ１１０そのものに電源供給端子（例えばＵＳＢ端子）を設け、上述した電源コード３０２を用いてバッテリ１１０を直接端末装置１２０に接続することもできる。
【００５６】
図４は、実施の形態にかかる電池内蔵クレードルの他のバッテリの構成例を示す斜視図である。図４の（ａ）に示すように、バッテリ１１０（１１０ａ）は、汎用されている例えば、単３型のタイプを複数個接続してもよい。この場合、複数個のバッテリ１１０ａの１個当たりの特性に基づき、例えば、端末装置１２０が必要とする特性に合わせてバッテリ１１０ａの個数や種類（例えば単４型）、および直並列接続を選定すればよい。
【００５７】
図４の（ａ）に示す例では、単３型のバッテリ１１０ａを８個（１列当たり２個×４列）設けた例である。この場合、電池内蔵クレードル１００のクレードル本体１０１に着脱自在な底坂（第２のバッテリ収容部）４０１には、複数個のバッテリ１１０ａを整列させる仕切り４１０を設ける。また、各単３型のバッテリ１１０ａを電気的に接触させて一つの回路を構成する±の電極部材４１１を設ける。
【００５８】
そして、図４の（ｂ）に示すバッテリ収容部４０１の内部に単３型のバッテリ１１０ａを収容した後、側板４０１ａをクレードル本体１０１の底部１０１ｂの内周に嵌まり込ませることができる。
【００５９】
単３型のバッテリ１１０ａは、上述した２次電池に限らず、マンガン乾電池等の１次電池を用いることもできる。１次電池の場合、この１次電池に対する充電は行えないが、簡単に入手できる手軽さを有している。このため、例えば、電池内蔵クレードル１００からバッテリ１１０ａを取り外した状態で外出した際、この外出先で端末装置１２０に対する充電が必要なとき、必要個数の１次電池（単３型乾電池）を購入し電池内蔵クレードル１００（底板４０１）に装着すればよい。これにより、簡単に端末装置１２０に対する電源供給（充電）を行うことができるようになる。
【００６０】
図４に示したバッテリ収容部４０１は、図２に示したバッテリ収容部２０１と外形寸法が同一である。このため、図４に示すバッテリ収容部４０１を例えば、予備用として別に設けてもよい。この場合、図２等に示す初期の状態で電池内蔵クレードル１００の内蔵のバッテリ１１０を用いて、端末装置１２０に対する充電を行うことができる。
【００６１】
この後、内蔵のバッテリ１１０の残量がなくなった時点で図４に示したバッテリ収容部４０１に交換することで、単３型乾電池を用いて端末装置１２０に対する電源供給（充電）を継続させることもできるようになる。
【００６２】
以上説明した実施の形態の電池内蔵クレードルによれば、クレードル本体は、端末装置に対する操作および表示が視認可能な状態で端末装置を保持する。また、電池内蔵クレードルに端末装置を収容し、端末に対する操作や表示を行いながら、端末装置に対する電源供給および充電を行える。
【００６３】
そして、クレードル本体は、バッテリを内蔵している。これにより、屋外等でコンセントがなくクレードル本体に対して電源が供給されない状態であっても、バッテリから端末装置に対する電源供給および充電を行うことができる。これにより、屋内屋外等、場所を問わずに、電池内蔵クレードルを持っている場所で、直ちに端末装置に対する電源供給および充電を行うことができる。
【００６４】
例えば、屋外で例えば、ＴＶ視聴や映画の鑑賞を直ぐに開始できるようになる。また、ＴＶ視聴や映画の鑑賞中に端末装置のバッテリ残量が減った場合においても、端末装置を電池内蔵クレードルに収容するだけで、継続して端末装置への電源供給を行える。これにより、ＴＶ視聴や映画の鑑賞が中断されることなく継続できるようになる。
【００６５】
また、電池内蔵クレードルのバッテリに２次電池を用いることで、バッテリが繰り返し充放電できるようになり、コンセントがあればいつでも充電しておくことができる。これにより、後ほどのバッテリ残量が減った端末装置への電源供給に対する備え用の電源として確保しておくことができる。
【００６６】
バッテリは、乾電池等の１次電池でもよい。電池内蔵クレードルに対し、これらバッテリを着脱可能な構造とすることにより、例えば、性能が衰えた２次電池のバッテリを交換することができるようになる。着脱構造は、クレードル本体に対し、直接バッテリを挿抜する構成とすることができる。このほか、バッテリをバッテリ収容部に収容してバッテリ収容部を着脱自在とすることもできる。
【００６７】
これにより、電池内蔵クレードルは端末装置に対し長期にわたって安定して電源供給できるようになる。また、外出先において購入が容易な乾電池を用いて直ちに端末装置への電源供給および充電を開始することもできる。さらに、着脱自在なバッテリの個数は１個に限らず複数個でもよい。
【００６８】
また、電池内蔵クレードルに対して着脱自在なバッテリにＵＳＢ端子等の電源端子を設けることにより、電池内蔵クレードルに端末装置を収容するに限らず、バッテリから電源コードを介して直接、端末装置に電源供給を行うことができる。この場合、電池内蔵クレードルの設置場所に限らず、電池内蔵クレードルから離れた場所で自由な状態の端末装置に電源供給および充電を行うことができるようになる。
【００６９】
さらには、電池内蔵クレードルに電源端子を設けることにより、電池内蔵クレードルに内蔵のバッテリから電源コードを介して端末装置に電源供給を行うこともできる。この場合、電池内蔵クレードルの設置場所に限らず、電池内蔵クレードルから電源コードの長さ分だけ離れた場所で自由な状態の端末装置に対する電源供給および充電を行うことができるようになる。
【００７０】
また、上述した実施の形態では、電池内蔵クレードルは、縦長の端末装置を立てた状態で収容する構造を例に説明したが、これに限らない。例えば、縦長の端末装置を横にした状態で収容する構造としてもよく、この場合には、端末装置を横にした状態で保持する各寸法とすればよい。
【００７１】
また、上述した実施の形態において、電源供給を行う端子や電源ケーブルを全て共通する一つの規格、例えば、ＵＳＢ規格で統一してもよい。この場合、図１に示したクレードル本体と、例えば挿抜自在なバッテリには、互いの電源の接続箇所（水平位置）にそれぞれ互いが嵌り合う雄雌のＵＳＢ端子を設ける。同様に、図２に示したクレードル本体と一つまたは複数のバッテリには、互いの電源の接続箇所（上下位置）にそれぞれ互いが嵌り合う雄雌のＵＳＢ端子を設ける。また、図４に示す乾電池のバッテリ収容部には、電極部材に接続され、クレードル本体と互いの電源の接続箇所（上下位置）にそれぞれ互いが嵌り合う雄雌のＵＳＢ端子を設ければよい。これにより、例えば、図２に示したバッテリをクレードル本体から取り出したときにおいても、予め用意してある同じＵＳＢ規格の汎用のケーブルを用いて端末装置とＵＳＢ接続できる。
【００７２】
ところで、上述した実施の形態の電池内蔵クレードルは、ランプやＬＥＤ等の発光体を内蔵してもよい。電池内蔵クレードル発光体を内蔵することで、内蔵のバッテリによりクレードル本体自体を発光させ、常夜灯や非常灯として利用することもできる。これにより、電池内蔵クレードルが有するバッテリの電源をさらに多様な用途に用いることができ、懐中電灯の代用品や、非常時の照明としても利用できるようになる。
【００７３】
上述した実施の形態に関し、さらに以下の付記を開示する。
【００７４】
（付記１）クレードル本体は、端末装置の表示を視認可能な立てた状態で収容する収容部と、バッテリと、を有し、
前記バッテリに蓄電された電力を前記端末装置に供給可能なことを特徴とする電池内蔵クレードル。
【００７５】
（付記２）前記バッテリは、外部電源の供給により繰り返し充電可能な２次電池であることを特徴とする付記１に記載の電池内蔵クレードル。
【００７６】
（付記３）前記バッテリは、前記クレードル本体に対し着脱自在なことを特徴とする付記１または２に記載の電池内蔵クレードル。
【００７７】
（付記４）前記バッテリを収容するバッテリ収容部を備え、前記バッテリ収容部が前記クレードル本体に対し着脱自在なことを特徴とする付記１または２に記載の電池内蔵クレードル。
【００７８】
（付記５）前記収容部は、立てた状態の前記端末装置に電源供給を行う充電用端子を有することを特徴とする付記１〜４のいずれか一つに記載の電池内蔵クレードル。
【００７９】
（付記６）前記クレードル本体は、電源供給端子を備え、
前記電源供給端子に接続される電源コードを介して前記端末装置に対する電源供給が可能なことを特徴とする付記１〜５のいずれか一つに記載の電池内蔵クレードル。
【００８０】
（付記７）複数個の乾電池を整列して収容する仕切りを有する第２のバッテリ収容部が前記クレードル本体に対し着脱自在なことを特徴とする付記１〜６のいずれか一つに記載の電池内蔵クレードル。
【００８１】
（付記８）前記収容部は、前記端末装置の端部を支持し、前記端末装置の前面側を開口した開口部を有することを特徴とする付記１〜７のいずれか一つに記載の電池内蔵クレードル。
【００８２】
（付記９）前記クレードル本体と、前記バッテリには、前記着脱時の互いの接合部分に共通する規格に基づくコネクタを配置したことを特徴とする付記１〜８のいずれか一つに記載の電池内蔵クレードル。
【符号の説明】
【００８３】
１００  電池内蔵クレードル
１０１  クレードル本体
１０２  収容部
１０３  充電用端子
１０４  脚部
１０５  電源コード
１１０  バッテリ
１２０  端末装置
２０１，４０１  底板（バッテリ収容部）
３０１  電源供給端子
３０２  電源コード
４１０  仕切り
４１１  電極部材
【図１】
2018011463.tif 000003
【図２】
2018011463.tif 000004
【図３】
2018011463.tif 000005
【図４】
2018011463.tif 000006